【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
筒内圧を取得する筒内圧取得手段と、
前記筒内圧に基づいて、燃焼割合を算出する燃焼割合算出手段と、
前記筒内圧に基づいて、図示トルクを算出する図示トルク算出手段と、
燃焼割合が所定値となるクランク角位置を算出するクランク角位置算出手段と、
複数サイクルにおける前記クランク角位置の分布を算出する燃焼割合クランク角位置分布算出手段と、
前記複数サイクルにおける前記図示トルクの分布を算出する図示トルク分布算出手段と、
点火時期を遅角させた際の前記クランク角位置の分布を推定する燃焼割合クランク角位置分布推定手段と、
前記図示トルクの分布及び推定した前記クランク角位置の分布に基づいて、点火時期を遅角させた際の図示トルクの分布を推定する図示トルク分布推定手段と、
前記図示トルクの分布に基づいて、内燃機関のトルク変動が所定範囲となる条件下で遅角された点火時期を求める点火時期算出手段と、
前記点火時期算出手段により算出された点火時期に基づいて、点火時期の遅角制御を実行する点火時期遅角制御実行手段と、
を備えたことを特徴とする内燃機関の制御装置。
【請求項２】
前記点火時期算出手段は、前記図示トルクの分布に基づいて、内燃機関のトルク変動が前記所定範囲となる条件下で最も遅角された点火時期を求めることを特徴とする請求項１記載の内燃機関の制御装置。
【請求項３】
前記燃焼割合クランク角位置分布推定手段は、前記クランク角位置の分布を表す標準偏差を前記クランク角位置の平均値を含む値で除算した値が点火時期によらずほぼ一定値となることに基づいて、点火時期を遅角させた際の前記クランク角位置の分布を推定することを特徴とする請求項１又は２記載の内燃機関の制御装置。
【請求項４】
前記図示トルク分布推定手段は、前記クランク角位置の分布を表す標準偏差を前記図示トルクの分布を表す標準偏差で除算した値と、点火時期との関係を規定した数式又はマップを用いて、点火時期を遅角させた際の前記図示トルクの分布を推定することを特徴とする請求項１〜３のいずれかに記載の内燃機関の制御装置。
【請求項５】
前記数式又はマップは、前記クランク角位置の分布を表す標準偏差を前記図示トルクの分布を表す標準偏差で除算した値と、点火時期との関係を一次関数で規定したものであることを特徴とする請求項４記載の内燃機関の制御装置。
【請求項６】
前記数式又はマップを内燃機関の経年変化又は機差に応じて補正する補正手段を更に備えたことを特徴とする請求項４又は５記載の内燃機関の制御装置。
【請求項７】
推定した前記図示トルクの分布に基づいて、内燃機関のクランク軸の軸トルクの分布を算出する軸トルク分布算出手段を更に備え、
前記点火時期算出手段は、前記図示トルクの分布から算出された前記軸トルクの分布に基づいて、内燃機関のトルク変動が所定範囲となる条件下で遅角された点火時期を求めることを特徴とする請求項１〜６のいずれかに記載の内燃機関の制御装置。
【請求項８】
前記燃焼割合クランク角位置分布推定手段は、前記図示トルク分布算出手段で算出された前記図示トルクの分布が小さい場合ほど、前記クランク角位置の分布を推定する際の点火時期の遅角量を大きくすることを特徴とする請求項１〜７のいずれかに記載の内燃機関の制御装置。
【手続補正２】
【補正対象書類名】明細書
【補正対象項目名】０００７
【補正方法】変更
【補正の内容】
【０００７】
第１の発明は、上記の目的を達成するため、筒内圧を取得する筒内圧取得手段と、前記筒内圧に基づいて、燃焼割合を算出する燃焼割合算出手段と、前記筒内圧に基づいて、図示トルクを算出する図示トルク算出手段と、燃焼割合が所定値となるクランク角位置を算出するクランク角位置算出手段と、複数サイクルにおける前記クランク角位置の分布を算出する燃焼割合クランク角位置分布算出手段と、前記複数サイクルにおける前記図示トルクの分布を算出する図示トルク分布算出手段と、点火時期を遅角させた際の前記クランク角位置の分布を推定する燃焼割合クランク角位置分布推定手段と、前記図示トルクの分布及び推定した前記クランク角位置の分布に基づいて、点火時期を遅角させた際の図示トルクの分布を推定する図示トルク分布推定手段と、前記図示トルクの分布に基づいて、内燃機関のトルク変動が所定範囲となる条件下で遅角された点火時期を求める点火時期算出手段と、前記点火時期算出手段により算出された点火時期に基づいて、点火時期の遅角制御を実行する点火時期遅角制御実行手段と、を備えたことを特徴とする。
第２の発明は、第１の発明において、前記点火時期算出手段は、前記図示トルクの分布に基づいて、内燃機関のトルク変動が前記所定範囲となる条件下で最も遅角された点火時期を求めることを特徴とする。
【手続補正３】
【補正対象書類名】明細書
【補正対象項目名】０００８
【補正方法】変更
【補正の内容】
【０００８】
第３の発明は、第１又は第２の発明において、前記燃焼割合クランク角位置分布推定手段は、前記クランク角位置の分布を表す標準偏差を前記クランク角位置の平均値を含む値で除算した値が点火時期によらずほぼ一定値となることに基づいて、点火時期を遅角させた際の前記クランク角位置の分布を推定することを特徴とする。
【手続補正４】
【補正対象書類名】明細書
【補正対象項目名】０００９
【補正方法】変更
【補正の内容】
【０００９】
第４の発明は、第１〜第３の発明のいずれかにおいて、前記図示トルク分布推定手段は、前記クランク角位置の分布を表す標準偏差を前記図示トルクの分布を表す標準偏差で除算した値と、点火時期との関係を規定した数式又はマップを用いて、点火時期を遅角させた際の前記図示トルクの分布を推定することを特徴とする。
【手続補正５】
【補正対象書類名】明細書
【補正対象項目名】００１０
【補正方法】変更
【補正の内容】
【００１０】
第５の発明は、第４の発明において、前記数式又はマップは、前記クランク角位置の分布を表す標準偏差を前記図示トルクの分布を表す標準偏差で除算した値と、点火時期との関係を一次関数で規定したものであることを特徴とする。
【手続補正６】
【補正対象書類名】明細書
【補正対象項目名】００１１
【補正方法】変更
【補正の内容】
【００１１】
第６の発明は、第４又は第５の発明において、前記数式又はマップを内燃機関の経年変化又は機差に応じて補正する補正手段を更に備えたことを特徴とする。
【手続補正７】
【補正対象書類名】明細書
【補正対象項目名】００１２
【補正方法】変更
【補正の内容】
【００１２】
第７の発明は、第１〜第６の発明のいずれかにおいて、推定した前記図示トルクの分布に基づいて、内燃機関のクランク軸の軸トルクの分布を算出する軸トルク分布算出手段を更に備え、前記点火時期算出手段は、前記図示トルクの分布から算出された前記軸トルクの分布に基づいて、内燃機関のトルク変動が所定範囲となる条件下で遅角された点火時期を求めることを特徴とする。
【手続補正８】
【補正対象書類名】明細書
【補正対象項目名】００１３
【補正方法】変更
【補正の内容】
【００１３】
第８の発明は、第１〜第７の発明のいずれかにおいて、前記燃焼割合クランク角位置分布推定手段は、前記図示トルク分布算出手段で算出された前記図示トルクの分布が小さい場合ほど、前記クランク角位置の分布を推定する際の点火時期の遅角量を大きくすることを特徴とする。
【手続補正９】
【補正対象書類名】明細書
【補正対象項目名】００１４
【補正方法】変更
【補正の内容】
【００１４】
第１の発明によれば、点火時期を遅角させた際の図示トルクの分布を推定することができるため、トルク変動が許容レベルとなる範囲で遅角することのできる点火時期をモデル計算により求めることができる。従って、ドライバビリティを良好に保った状態で点火時期を遅角させることができ、始動時の触媒暖機を短時間で行うことが可能となる。
第２の発明によれば、点火時期を遅角させた際の図示トルクの分布を推定することができるため、トルク変動が許容レベルとなる範囲で最も遅角することのできる点火時期をモデル計算により求めることができる。従って、ドライバビリティを良好に保った状態で点火時期を最も遅角させることができ、始動時の触媒暖機を短時間で行うことが可能となる。
【手続補正１０】
【補正対象書類名】明細書
【補正対象項目名】００１５
【補正方法】変更
【補正の内容】
【００１５】
第３の発明によれば、燃焼割合が所定値となるクランク角位置の分布を表す標準偏差をクランク角位置の平均値を含む値で除算した値は、点火時期によらずほぼ一定値となるため、点火時期を遅角させた際のクランク角位置の分布を推定することが可能となる。
【手続補正１１】
【補正対象書類名】明細書
【補正対象項目名】００１６
【補正方法】変更
【補正の内容】
【００１６】
第４の発明によれば、クランク角位置の分布を表す標準偏差を図示トルクの分布を表す標準偏差で除算した値と、点火時期との関係を規定した数式又はマップを予め構築しておくことで、点火時期を遅角させた際の図示トルクの分布を推定することが可能となる。
【手続補正１２】
【補正対象書類名】明細書
【補正対象項目名】００１７
【補正方法】変更
【補正の内容】
【００１７】
第５の発明によれば、クランク角位置の分布を表す標準偏差を図示トルクの分布を表す標準偏差で除算した値と、点火時期との関係を一次関数で規定するため、数式又はマップを簡素に構築することができる。
【手続補正１３】
【補正対象書類名】明細書
【補正対象項目名】００１８
【補正方法】変更
【補正の内容】
【００１８】
第６の発明によれば、数式又はマップを内燃機関の経年変化又は機差に応じて補正するため、点火時期を遅角させた際の図示トルクの分布を高精度に推定することが可能となる。
【手続補正１４】
【補正対象書類名】明細書
【補正対象項目名】００１９
【補正方法】変更
【補正の内容】
【００１９】
第７の発明によれば、内燃機関のクランク軸の軸トルクの分布に基づいて点火時期を求めるため、ドライバビリティを考慮した上での点火時期の遅角制御を更に高精度に行うことが可能となる。
【手続補正１５】
【補正対象書類名】明細書
【補正対象項目名】００２０
【補正方法】変更
【補正の内容】
【００２０】
第８の発明によれば、図示トルクの分布が小さい場合ほど、クランク角位置の分布を推定する際の点火時期の遅角量を大きくするため、点火時期を目標値に設定するまでの処理量を低減することが可能となる。